(57)【特許請求の範囲】
【請求項１】
コンピュータシステムにより地域環境情報を供給する地域環境情報の供給方法において、予め記憶された地図情報に基づいて地図を表示して、当該地図上において地形断面の地形の表示地域の位置指定を促す段階と、位置指定された地域の地形断面の地形と当該地域に関する植生、樹種、林種、林齢、生物分布、人口、風速、風向、降水量から選ばれた少なくとも一つの環境情報を、前記地形断面の地形表示部の下方であって、該地形断面の地形に対応した状態で、それぞれ水平な棒グラフで同時に表示する段階とを備えることを特徴とする地域環境情報の供給方法。
【請求項２】
前記地域に関する環境情報の表示において、所望する環境情報の選択を促す段階と、選択された環境情報に関する詳細情報を表示する段階とを備えることを特徴とする請求項１に記載の地域環境情報の供給方法。
【発明の詳細な説明】
【０００１】
【発明の属する技術分野】
本発明は、コンピュータシステムを用いた特定地域の環境情報の供給方法に関し、特に、指定した特定地域に関する各種の環境情報をほぼリアルタイムで一括して提供できる環境情報の供給方法に関する。
【０００２】
【従来の技術】
国民生活が豊かに成るにつれて、国民の自然環境に対する意識は著しく高揚してきており、特に、大型の地域開発においては、開発に伴う地域の自然環境、生物生態系に与える影響等を事前に調査し、調査結果を明らかにして開発に対する地域住民の理解と協力を得ることが不可欠になっている。
この事前調査では、その地域の環境特性を構成する、例えば、「標高」、「地形」、「地質」、「土壌」、「生物生息状況」等の各種の環境情報が、開発によりそれぞれどのような影響を受け、その結果当該地域の環境特性に如何なる影響を及ぼすかを網羅的、且つ体系的に調査する必要がある。
【０００３】
従来は、このような事前調査では、調査対象となる各種の環境情報は、それぞれ個別のデータとして、コンピュータシステムのデータファイルにデジタルデータとして蓄積され、使用に当たっては、蓄積データベースから必要とする環境情報を取り出して画面上に表示したり、あるいはプリンタにより必要に応じて紙打ち出しデータとして出力していた。
【０００４】
【発明が解決しようとする課題】
しかし、従来のこのシステムは、データベースに蓄積されている各種の環境情報の中から、相互に関連する環境情報を体系的、網羅的に関連付けて目視可能に画面上に表示できないため、ある特定地域の環境改変計画が環境に与える影響を調べるには、開発により影響を及ぼすであろう環境情報を個別に抽出表示して、打ち出しデータとして打ち出した後、これをデータを地形の構造に一致するように環境情報単位毎に再集計していた。
【０００５】
例えば、環境改変計画の対象地域が、丘陵地や河川や湖沼を含んでいる地形の場合、丘陵地と河川、湖沼とでは、「地形」、「地質」、「植生」、「生息動物」等の環境情報が大きく異なっているため、まず、丘陵地、河川、湖沼単位毎にそれぞれの環境情報を把握し、次いで各環境情報が地形変化に伴ってどのような因果関係に有るかを分析調査することになる。
【０００６】
しかし、従来のシステムでは、丘陵地、河川、湖沼毎に指定された環境情報がデジタルデータとして抽出表示されるだけであるため、これらの環境情報が地形変化に伴ってどのような因果関係にあるかを調査するには、因果関係の有りそうな環境情報を抽出しこれらを地形の変化に対応するように再整理しなくてはならないため、作業効率が悪いという問題があった。
【０００７】
また、再整理された各種の環境情報を表すデータは、単なるデジタルデータが表示されるに過ぎないため、地形の変化と各種の環境情報とを互に比較可能な状態で同時に目視できないことから、分析調査に時間がかかるという問題もあった。
【０００８】
本発明は、上記した従来のシステムが有する問題に鑑みてなされたものであり、任意の指定された地形断面の地形に関連する環境情報を、可視的に相互比較が可能な状態で一括して同時に供給できる地域環境情報の供給方法を提供することを目的とする。
【０００９】
【課題を解決するための手段】
かかる目的を達成するため、本発明者らは、特定地域の環境特性に係わる全ての環境情報をメッシュデータとして蓄積することにより、コンピュータシステムを利用して当該地域の任意の指定した区域について、関連する全ての環境情報を、地形断面の地形変化に関連した状態で可視可能に一括して同時に提供できるシステムを開発し本発明を完成した。
【００１０】
具体的に記載すると、本発明の地域環境情報の提供方法は、コンピュータシステムにより地域環境情報を供給する地域環境情報の供給方法において、予め記憶された地図情報に基づいて地図を表示して、当該地図上において地形断面の地形の表示地域の位置指定を促す段階と、位置指定された地域の地形断面の地形と当該地域に関する植生、樹種、林種、林齢、生物分布、人口、風速、風向、降水量から選ばれた少なくとも一つの環境情報を、前記地形断面の地形表示部の下方であって、該地形断面の地形に対応した状態で、それぞれ水平な棒グラフで同時に表示する段階とを備えることを特徴とする。
【００１１】
本発明で言う環境情報とは、環境改変計画のある特定地域の環境特性を左右する情報を示す。環境情報は、環境改変計画のある特定地域が水域系を含む場合と含まない場合では、また丘陵地と山岳地域でも相違するため、一律に規定することができないが、例えば、「標高」、「傾斜」、「地形」、「地質」、「土壌」、「植生」、「樹種」、「林種」、「林齢」、「生物生息分布」、「人口」、「風向」、「風速」、「降水量」などが相当し、環境開発計画のある地域の特殊性を考慮して適宜決定されるものである。
本発明においては、環境改変計画のある特定地域の環境情報を、予め調査し、その調査結果を環境情報データとして、コンピュータに記憶させる。
【００１２】
この場合、これら環境情報データは、メッシュデータとして特定地域の地図情報と重ね合わせた形態で記憶させる。メッシュデータとは、その特定地域の地図情報を経線と緯線とでほぼ等しい大きさの区画に区切り、区画毎に各環境情報データを記憶させたデータである。従って、区画の大きさが小さければ小さいほど、その特定地域に関する精緻なデータを入手できる。
【００１３】
本発明においては、メッシュデータとして記憶された特定地域の地図情報から必要とする地域を選択して指定すると、指定した地域の地形断面の地形と当該地形に沿う各区域の各種の環境情報とが同時に画面上に表示される。
また、表示された環境情報を更に選択して指定すると、当該環境情報の更なる詳細な情報が画面上に表示される。
【００１４】
【発明の実施の形態】
以下、具体例を掲げて、本発明の一実施の形態について図を参照しながら詳細に説明する。図１は、本発明の一実施の形態を示す概要図である。符号１００は特定地域の地図であり、符号１１０は当該地図に関する標高、地質、植生等の各種の環境情報である。
【００１５】
該地図１００は、地図情報としてコンピュータ１２０に記憶され、各環境情報１１０は、メッシュデータとして該地図情報に関連させた状態で該コンピュータ１２０に記憶される。本実施の形態では、標高メッシュデータ１１１、地質メッシュデータ１１２、植生メッシュデータ１１３に関する環境情報１１が該地図情報に関連させた状態でコンピュータ１２０に記憶されている。また、詳細は後述するが、コンピュータ１２０を実行すると指定された区域の地形断面の地形ｆ７と該地形ｆ７に沿う各区域の環境情報とが同時に画面上に表示される。図１の実施の形態では、環境情報として「標高」、「地質」、「植生」に関する棒グラフｆ８が地形ｆ７に対応した状態で表示されている。
【００１６】
図２は、本発明の実施の形態におけるメッシュデータと地図とを重ね合わせて表示した画面の例である。この実施の形態によると、コンピュータ１２０に記憶させた地図情報を３９本の経線と３３本の緯線からなるメッシュ線で１２８７メッシュに区画し、区画毎に標高の値を持たせた標高メッシュデータ１１１，同地質メッシュデータ１１２，同植生メッシュデータ１１３を重ねて表示した画面が示されている。
【００１７】
図３は、本発明の実施の形態におけるシステム構成の概要を示すブロック図である。このシステム構成は、大別すると、キーボード、マウス等からなる入力装置１と、演算処理部を有し各装置の制御やデータ転送、種々の演算、データの一時的な格納等を行うデータ処理装置３と、入力された各種の情報を記憶する記憶装置４、及びＣＲＴやＬＣＤ等のディスプレイ装置、プリンタ等からなる出力装置２とで構成されており、このシステム構成は通常のパーソナルコンピュータが具備する構成である。
【００１８】
該入力装置１は、記憶装置４に記憶される各種のデータを入力したり、該記憶装置４に入力された各種のデータから必要とする情報を出力装置２に出力するために操作する装置である。データ処理装置３は、入力装置１からの操作信号により該記憶装置４に記憶された各種の情報から必要とする情報を演算処理する演算処理部（図示されていない。）と演算処理部の作動を制御する各種のプログラムが配備されている。符号３１、３３及び３４は、それぞれ断面要求プログラム、環境情報抽出プログラム及びグラフ作成プログラムを示す。
【００１９】
また、該記憶装置４には、図示されない画像データ入力装置により該地図１０を画像データとして入力した地図画像４１と当該地域の各種の環境情報をデジタルデータとして入力した環境情報データ４２とが記憶されている。環境情報データ４２は、該地図画像４１に関連させたメッシュデータとして記憶され、この実施の形態では環境情報データ４２として、「標高」、「地質」、「土壌」、「植生」、及び「生物生息状況」が例示されている。
【００２０】
次に、本実施の形態について図４から図７を参照して作動状況を説明する。ここで、まずコンピュータが作動すると、出力装置２のディスプレーには、図５に示されるような地図画像ｆ１と、次の操作に移行できる複数のメニュー項目ｆ３を表示したメニュー画面ｆ２とが表示され、操作員に対して、次の操作のメニュー項目の選択を促す。
【００２１】
操作員がメニュー画面ｆ２に表示されているメニュー項目ｆ３の中から「環境情報表示」を入力装置１のマウスでダブルクリック操作すると、データ処理装置３の演算処理部はこれを検知して該断面要求プログラム３１を制御する。
【００２２】
該断面要求プログラム３１が制御されると、地図画像ｆ１の画面上にはメッセージ画面ｆ４が表示（図６）され、地図画面上に表示する地形断面の地形の表示地域の位置指定を促進する手段として始点地域と終点地域との指定を促す。操作員が表示された地図画像ｆ１上で、調査の対象となる始点ｆ５と終点ｆ６とをマウスのクリック操作で指定すると、データ処理装置３の演算処理部は、これを検知して、指定された始点ｆ５と終点ｆ６の各座標を抽出点決定プログラム３２に伝達する。
【００２３】
抽出点決定プログラム３２は、図４に示すように指定された始点ｆ５と終点ｆ６の断面線とメッシュ線との交点の座標（ｘ１、ｙ１）、（ｘ２、ｙ２）を順次算出し、算出した各交点の座標を、抽出点データ４３として該記憶装置４に記録する。該データ処理装置３の演算処理部は、該抽出点データ４３に基づいて環境情報抽出プログラム３３を制御する。
【００２４】
環境情報抽出プログラム３３は、記憶装置４に記憶された抽出点データ４３と環境情報データ４２を照合し、環境情報データ４２の中から各座標に対応するデータを取り出し、該記憶装置４に抽出結果４４として記録するとともに、グラフ作成プログラム３４が作動し抽出結果４４に基づいて図７に示す様なグラフを作成して画像に出力する。図７に示された実施の形態では、画面上に、始点ｆ５、終点ｆ６で指定される直線域の地形断面の地形ｆ７と、該地形断面の地形ｆ７に沿う各区域の「標高」、「地質」、「土壌」、「植生」、及び「生物生息状況」からなる環境情報を表示した棒グラフｆ８とが同時に表示されている。
【００２５】
このように、クリック操作で指定した任意の直線域の地形断面の地形ｆ７と、該地形ｆ７に沿う各区域の各種の環境情報を表示する棒グラフｆ８とを、それぞれ対応のある関係で同一画面に表示できるため、棒グラフｆ８の水平方向の変化から断面でのそれぞれの環境情報の変化を把握できる。また棒グラフの垂直方向の重なり方から、環境情報の関係を把握することもできる。
【００２６】
次に、棒グラフｆ８として表示された環境情報の詳細を表示する操作を図７を参照して説明する。棒グラフｆ８として表示された任意の環境情報の表示部分ｆ９をマウスでクリック操作すると、当該環境情報に関連する詳細情報ｆ１０を同一画面に表示できる。図７に示された実施の形態では、該地形断面の地形ｆ７に表示された地点Ａの「植生」をクリック操作することにより、当該地点Ａの「植生」に関する詳細情報ｆ１０として当該地点Ａのメッシュの座標（ｘ＝７２、ｙ＝７３）とＺ値として「ヒノキアスナロ群」が表示されている。
【００２７】
この詳細情報ｆ１０の表示内容から、地点Ａは、メッシュ座標では、ｘ＝７２、ｙ＝７３の地点であり、その地点の植生はヒノキアスナロの群落であることが分かる。このように、地形断面の地形ｆ７と棒グラフｆ８から全体の指定された区域の環境情報の概要を把握した後、更に必要とする詳細な環境情報を把握できるため、調査を能率的に行える。
【００２８】
以上、本発明の一つの実施の形態を説明したが、本発明は、この実施の形態に限定されるものでない。例えば、地図の画像データをテキストデータとして記憶させて断面の始点終点を該テキストファイルから読み取るようにし、複数の断面について一括して画面上に表示できるようにすることもできる。また、環境情報データがメッシュデータではなく、ポリゴンデータや点データ、線データであっても構わない。また、地図上において地形断面の地形の表示地域の位置指定として２点のみならず、３点以上の多数点を次々に指定することもできる。
【００２９】
【発明の効果】
請求項１に係る発明によると、特定地域の環境改変計画が環境に与える影響を調査する場合、調査対象区域を画面上に表示された地図を見ながら任意に選択できるため必要とする調査区域を的確に選定できる。
また、画面上には、地形断面の地形と該地形断面に関連する環境情報とが同時に表示されるため、地形断面の地形と環境情報との因果関係を画面上から把握できるため、調査効率を向上できる。
【００３０】
また、地域の環境特性を左右する複数の環境情報が網羅されているため地域の環境特性に合致する環境情報を適宜選択できるので的確な調査を行うことができる。また複数の環境情報が選択されると、環境情報間の相関関係を容易に把握することができる。
【００３１】
また、環境情報が地形断面と対応した状態で表示されるため地形断面の地形変化が環境情報に与える影響を同時に把握できるため、調査効率が向上する。更に、表示される環境情報が複数の場合には、地形変化と各環境情報との相互関係を同時に把握できる。また、環境情報が棒グラフで表示されるため、地形変化との関連性を可視的に相互比較できるため、調査効率が向上する。
【００３２】
請求項２に係る発明によると、表示された環境情報の中から必要とする環境情報を的確に選択できるため、調査に無駄な作業がなく効率を向上できる。また、環境情報と詳細情報とを同一画面で相互に比較できるため、より精緻な調査をすることができる。
【図面の簡単な説明】
【図１】本発明の一実施の形態における概要図。
【図２】メッシュデータと地図とを重ねて表示した画面図。
【図３】本発明の一実施の形態におけるシステム構成の概要を表すブロック図。
【図４】本発明の一実施の形態における断面上の抽出点の算出方法を表す概念図。
【図５】本発明の一実施の形態における開始画面を例示する画面図。
【図６】本発明の一実施の形態における断面の始点と終点を指定する画面図。
【図７】本発明の一実施の形態における画面の例。
【符号の説明】
１  入力装置
２  出力装置
３  データ処理装置
３１  断面要求プログラム
３２  抽出点決定手段
３３  環境抽出プログラム
３４  グラフ作成プログラム
４  記憶装置
４１  地図画像
４２  環境情報データ
４３  抽出点データ
４４  抽出結果
１００  地図
１１０  環境情報（メッシュデータ）
１１１  標高
１１２  地質
１１３  植生
１２０  コンピュータ
１３０  環境情報の断面図
ｆ１  地図画像
ｆ２  メニュー画面
ｆ３  メニュー項目
ｆ４  メッセージ
ｆ５  始点
ｆ６  終点
ｆ７  地形断面の地形
ｆ８  棒グラフ
ｆ９  表示部分
ｆ１０  詳細情報
Ａ  地点
【図１】
0003615129.tif 000002
【図２】
0003615129.tif 000003
【図３】
0003615129.tif 000004
【図４】
0003615129.tif 000005
【図５】
0003615129.tif 000006
【図６】
0003615129.tif 000007
【図７】
0003615129.tif 000008